(57)【要約】【課題】照明制御システムにおいて、既設の照明制御システムのスイッチ部分を受信機と取り替えるだけで、人体と照度を検知して照明負荷をオン・オフする機能を容易に追加する。【解決手段】照明制御システム１は、ワイヤレス信号を送信する送信機２と、受信する受信機３とを備える。送信機２は、人体検知センサ２１と、照度センサ２２と、検知信号を送信するワイヤレス信号送信部と、送信機制御回路部とを有する。受信機３は、照明負荷４をオン・オフする受信機スイッチ部と、照明負荷４への給電路を開閉する負荷制御部と、受信機制御回路部とを有する。受信機制御回路部は、人体検知のワイヤレス信号の受信により、照明負荷４をオンにすると共に、所定時間の計測を開始し照明負荷４をオフにする。照明制御システム１を既設の照明器具のスイッチ部分と取り替えることにより、人体と照度を検知して照明負荷４をオン・オフする機能を容易に追加することができる。【選択図】図１
2008177093.tif 000002
【特許請求の範囲】
【請求項１】
照明負荷をオン・オフする照明制御システムにおいて、
人体検知手段が検知した人体検知信号、及び照度検知手段が検知した照度データ信号を送信する送信機と、
前記送信機から送信された信号を受信する受信機と、
前記照明負荷をオン・オフする操作スイッチと、
電源から前記照明負荷への給電路を開閉する開閉手段と、
前記受信機が受信した信号又は前記操作スイッチに応じて前記開閉手段を制御する負荷制御手段と、を備え、
前記負荷制御手段は、前記送信機により送信された前記人体検知信号又は前記操作スイッチのオン操作に応じて前記開閉手段を制御して照明負荷をオンにすると共に、所定時間の計測を開始し、前記所定時間の経過後に照明負荷をオフにすることを特徴とする照明制御システム。
【請求項２】
前記送信機は、前記人体検知信号を送信した後に、継続して人体を検知しているときは、前記照明負荷のオン状態を継続する継続情報を所定の時間毎に送信し、その後、所定の時間、人体を検知しないときは、人体の検知を終了したことを示す人体検知終了情報を送信することを特徴とする請求項１に記載の照明制御システム。
【請求項３】
前記送信機は、前記人体検知信号を送信した後に、所定の時間、人体を検知しないときは、人体の検知を終了したことを示す人体検知終了情報と、人体を検知したときの前記照度データ信号と、を送信することを特徴とする請求項１に記載の照明制御システム。
【請求項４】
前記送信機は、前記人体検知手段が人体を検知していないときに、前記照度検知手段により検知した照度が所定の照度より明るくなったときは、その後に、人体を検知すると前記継続情報を送信し、
前記人体検知終了情報を送信した後に、前記照度検知手段により検知した照度が所定の照度より暗くならず、その後に人体を検知したときは、前記継続情報を送信することを特徴とする請求項２に記載の照明制御システム。
【請求項５】
前記受信機は、前記人体検知信号と共に受信した前記照度データ信号が所定の照度より暗いことを示すときは、前記開閉手段により前記照明負荷をオンにし、
前記継続情報を受信したときは、前記照明負荷のオンを継続し、
前記人体検知終了情報を受信したときは、前記開閉手段により前記照明負荷をオフにすることを特徴とする請求項１、請求項２、又は請求項４のいずれか一項に記載の照明制御システム。
【請求項６】
前記送信機は、前記人体検知信号又は前記継続情報を送信した後であって、前記人体検知終了情報を送信するまでの間に、前記照度検知手段により検知した照度が所定の照度より暗くなったときは、前記人体検知信号の送信状態を、人体を検知していない初期状態に戻すことを特徴とする請求項１乃至請求項５のいずれか一項に記載の照明制御システム。
【発明の詳細な説明】
【技術分野】
【０００１】
本発明は、人体を検知して照明負荷を制御する照明制御システムに関する。
【背景技術】
【０００２】
従来から、壁面などの造営面に配設されて照明負荷をオン・オフするスイッチとして、操作ハンドルを手動操作するタンブラスイッチや押釦スイッチの他に、熱線式自動スイッチを備えた照明制御システムが知られている。熱線式自動スイッチは、人体から放射される熱線を検出することにより検知エリア内における人体の存否を検知し、自動的に開閉するスイッチであって、例えば、住宅の玄関などに配設されて照明負荷を自動点滅する。この種のスイッチは電源及び照明負荷と電線によって接続され、電源から照明負荷への給電路を開閉することで照明負荷をオン・オフする（例えば、特許文献１参照）。
【０００３】
また、人体検知センサが人体を検知して、点灯信号を送信しても、照度が明るくならないときは、再度点灯信号を送信する照明制御システムが知られている（例えば、特許文献２参照）。
【０００４】
しかしながら、上記特許文献１及び特許文献２に示されるような照明制御システムにおいては、手動操作の操作スイッチのみを備える既設の照明制御システムと取り替える場合には、照明制御システム全体を取り替えなければならず、施工に手間がかかると共に、既設の照明負荷が使用できない。
【特許文献１】特開平８−３１５７６号公報
【特許文献２】特開２００３−２１７８６９号公報
【発明の開示】
【発明が解決しようとする課題】
【０００５】
本発明は、上記の問題を解決するためになされたものであり、新たに配線をすることなく、人体と照度を検知して照明負荷をオン・オフする機能を容易に追加することができる照明制御システムを提供することを目的とする。
【課題を解決するための手段】
【０００６】
上記目的を達成するために請求項１の発明は、照明負荷をオン・オフする照明制御システムにおいて、人体検知手段が検知した人体検知信号、及び照度検知手段が検知した照度データ信号を送信する送信機と、前記送信機から送信された信号を受信する受信機と、前記照明負荷をオン・オフする操作スイッチと、電源から前記照明負荷への給電路を開閉する開閉手段と、前記受信機が受信した信号又は前記操作スイッチに応じて前記開閉手段を制御する負荷制御手段と、を備え、前記負荷制御手段は、前記送信機により送信された前記人体検知信号又は前記操作スイッチのオン操作に応じて前記開閉手段を制御して照明負荷をオンにすると共に、所定時間の計測を開始し、前記所定時間の経過後に照明負荷をオフにするものである。
【０００７】
請求項２の発明は、請求項１に記載の照明制御システムにおいて、前記送信機は、前記人体検知信号を送信した後に、継続して人体を検知しているときは、前記照明負荷のオン状態を継続する継続情報を所定の時間毎に送信し、その後、所定の時間、人体を検知しないときは、人体の検知を終了したことを示す人体検知終了情報を送信するものである。
【０００８】
請求項３の発明は、請求項１に記載の照明制御システムにおいて、前記送信機は、前記人体検知信号を送信した後に、所定の時間、人体を検知しないときは、人体の検知を終了したことを示す人体検知終了情報と、人体を検知したときの前記照度データ信号と、を送信するものである。
【０００９】
請求項４の発明は、請求項２に記載の照明制御システムにおいて、前記送信機は、前記人体検知手段が人体を検知していないときに、前記照度検知手段により検知した照度が所定の照度より明るくなったときは、その後に、人体を検知すると前記継続情報を送信し、前記人体検知終了情報を送信した後に、前記照度検知手段により検知した照度が所定の照度より暗くならず、その後に人体を検知したときは、前記継続情報を送信するものである。
【００１０】
請求項５の発明は、請求項１、請求項２、又は請求項４のいずれか一項に記載の照明制御システムにおいて、前記受信機は、前記人体検知信号と共に受信した前記照度データ信号が所定の照度より暗いことを示すときは、前記開閉手段により前記照明負荷をオンにし、前記継続情報を受信したときは、前記照明負荷のオンを継続し、前記人体検知終了情報を受信したときは、前記開閉手段により前記照明負荷をオフにするものである。
【００１１】
請求項６の発明は、請求項１乃至請求項５のいずれか一項に記載の照明制御システムにおいて、前記送信機は、前記人体検知信号又は前記継続情報を送信した後であって、前記人体検知終了情報を送信するまでの間に、前記照度検知手段により検知した照度が所定の照度より暗くなったときは、前記人体検知信号の送信状態を、人体を検知していない初期状態に戻すものである。
【発明の効果】
【００１２】
請求項１の発明によれば、既設の照明器具のスイッチ部分を受信機と取り替えるだけで、人体と照度を検知して照明負荷のオン・オフを制御する機能を容易に追加することができる。
【００１３】
請求項２の発明によれば、継続情報に照明負荷のオン状態を継続する時間情報を含めることにより、人体検知終了情報の送信エラーが生じても、継続時間の経過時に照明負荷をオフにすることができる。また、継続情報の送信エラーが生じても、照明負荷のオン状態を継続時間まで保持することができる。
【００１４】
請求項３の発明によれば、ワイヤレス信号の送信が人体検知時と、人体検知の終了時だけであるので、送信機の消費電力を少なくすることができる。
【００１５】
請求項４の発明によれば、複数の送信機からのワイヤレス信号により、照明負荷のオン状態を継続することができる。
【００１６】
請求項５の発明によれば、複数の送信機からのワイヤレス信号により、照明負荷のオン状態を継続することができると共に、継続時間中に継続情報の送信エラーが生じても、照明負荷のオン状態を継続することができる。
【００１７】
請求項６の発明によれば、操作スイッチにより照明負荷がオフになった後も、人体検知により迅速に照明負荷をオンにすることができる。
【発明を実施するための最良の形態】
【００１８】
（第１の実施形態）
本発明の第１の実施形態に係る照明制御システムについて図を参照して説明する。図１は、照明制御システムの構成を示し、図２は、照明制御システムの設置状況の外観を示す。照明制御システム１は、人体検知センサ２１による人体検知信号及び照度センサ２２による照度データ信号をワイヤレス信号によって送信する送信機２（ここでは、２台の送信機を示しており、それぞれを２Ａ、２Ｂとする）と、ワイヤレス信号を受信する受信機３とを備えている。送信機２は壁部等に設置される。受信機３は、ユーザが操作を行い易い箇所で壁部等に設置され、照明負荷４と電源５とに接続される。ワイヤレス信号の媒体は、例えば、赤外線を用いればよい。照明負荷４は、例えば、白熱灯、蛍光灯などである。
【００１９】
図３は、送信機２Ａの構成を示す。送信機２Ｂも送信機２Ａと同等の構成でよい。送信機２Ａは、人体検知センサ２１と、照度センサ２２とを有するセンサ部２０と、手動操作により照明負荷４をオン・オフする送信機スイッチ部２３と、センサ部２０からの検知信号や送信機スイッチ部２３の操作に基き、各部を制御する送信機制御回路部２４と、送信機制御回路部２４からの信号を増幅する増幅回路部２５と、増幅された信号を送信するワイヤレス信号送信部２６と、各部に駆動電流を供給する電源部２７とを備えている。
【００２０】
人体検知センサ２１は、例えば、検知エリア内における人体から放射される熱線を検知する焦電素子である。照度センサ２２は、例えば、光電変換素子や太陽電池である。送信機制御回路部２４は、人体検知信号と、照度が予め定められた閾値より明るいことを示す明データ、又は、暗いことを示す暗データよりなる照度データ信号と、照明負荷４を点灯させる点灯継続時間のデータを送信する。また、送信機制御回路部２４は検知タイマ２４１と点灯タイマ２４２を有しており、データ送信のタイミングである予め定められたタイマ時間の計時を行なう。
【００２１】
図４は、受信機３の構成を示す。受信機３は、ユーザが手動によって照明負荷４のオン・オフを操作する受信機スイッチ部３１と、ワイヤレス信号受信部３２と、受信した信号を増幅する増幅回路部３３と、電源５から照明負荷４への給電路を開閉する負荷制御部３４と、受信機スイッチ部３１と増幅回路部３３からの信号に基いて負荷制御部３４を制御する受信機制御回路部３５と、ＬＥＤ等で成る表示部３６と、各部に駆動電流を供給する電源回路部３７とを備えている。受信機スイッチ部３１は、例えば、タクトスイッチによる一時点灯スイッチである。負荷制御部３４は、例えば、トライアック等のスイッチング素子から成る。また、受信機３は、送信機２を有効・無効にするスイッチ（図示なし）を有しており、送信機２の有効・無効状態や、送信機２の人体検知状態を表示部３６により表示する。
【００２２】
受信機スイッチ部３１が押操作される度に、受信機制御回路部３５は負荷制御部３４をスイッチングして照明負荷４のオン・オフを切り替え、また、照明負荷４がオフのときに、押操作されると、照明負荷４をオンにし、所定の遅延時間の計時を保持タイマ３５１により開始し、遅延時間の計時終了後に照明負荷４をオフにする。遅延時間は、例えば受信機スイッチ部３１に設けられた可変抵抗器の抵抗値によって調整することができる。ワイヤレス信号受信部３２は、例えば、フォトダイオードやフォトトランジスタ等の受光素子を有し、赤外線を媒体とする送信機２からのワイヤレス信号を受信する。
【００２３】
電源回路部３７は、負荷制御部３４が電源５から照明負荷４への給電路を閉じているときには、電源５から給電されて各部の動作電源を形成すると共に、コンデンサ（図示なし）を充電し、負荷制御部３４が電源５から照明負荷４への給電路を開いているときには、コンデンサに充電した電荷を利用して動作電源を形成する。これにより、受信機３を、電源５と照明負荷４とに２線で直列接続することが可能となっている。このような電源回路部３７は、例えば、特開２０００−３５７４４３号公報に示されるように知られているので、詳細な説明は省く。
【００２４】
上記のように構成された本実施形態に係る照明制御システム１の動作を説明する。照明負荷４がオフになっている状態から、受信機スイッチ部３１が押操作されると、受信機制御回路部３５は、照明負荷４をオンにし、設定されている遅延時間の計時を行い、遅延時間の計時が終了するか、又は、遅延時間の計時中に再度受信機スイッチ部３１が押操作されると、照明負荷４をオフにする。また、受信機制御回路部３５は、照明負荷４がオフのときは、表示部３６の位置表示を点灯させ、遅延時間の計時中は、表示部３６の位置表示を点滅させる。
【００２５】
次に、人体検知と周囲照度との関連動作について図５を参照して説明する。送信機２Ａは、人体検知センサ２１が人体検知信号Ｃを発し、照度センサ２２によって検知した照度が所定の閾値以下であれば、点灯開始情報Ｆ１として、人体検知信号Ｃと、点灯継続時間Ｇと、暗信号を送信すると共に、検知タイマ２４１と点灯タイマ２４２とによりタイマ時間Ｄ、Ｅの計時をスタートする（時点ｔ１）。受信した受信機制御回路部３５は、照明負荷４をオンにし、受信した点灯継続時間Ｇの計時を保持タイマ３５１によりスタートする。
【００２６】
送信機２Ａは、更に人体検知センサ２１が人体検知信号Ｃを発すると、検知タイマ２４１によるタイマ時間Ｄの計時を再スタートする（時点ｔ２）。送信機２Ａは、点灯タイマ２４２がタイマ時間Ｅの所定の割合まで計時すると、そのときに検知タイマ２４１がタイマ時間Ｄを計時していれば、点灯継続情報Ｆ２を送信すると共に、点灯タイマ２４２によるタイマ時間Ｅの計時を再スタートする（時点ｔ３）。点灯継続情報Ｆ２を点灯タイマ２４２の計時によって送信することにより、送信数を少なくすることができ、送信機２の消費電力を少なくすることができる。点灯継続情報Ｆ２は、点灯継続時間Ｇと、明信号とを含んでいる。点灯継続情報Ｆ２を受けた受信機制御回路部３５は、照明負荷４のオンを継続し、保持タイマ３５１により点灯継続時間Ｇの計時を再スタートする。受信機制御回路部３５は、ユーザの操作により照明負荷４をオンにしていたときに、点灯継続情報Ｆ２を受けたときも、同様に照明負荷４のオンを継続し、保持タイマ３５１による点灯継続時間Ｇの計時を再スタートする。
【００２７】
送信機２Ａは、検知タイマ２４１によるタイマ時間Ｄの計時が終了すると、人体検知終了情報Ｆ３を送信し、これを受信した受信機制御回路部３５は、照明負荷４をオフにすると共に保持タイマ３５１をリセットする（時点ｔ４）。
【００２８】
受信機制御回路部３５は、人体検知終了情報Ｆ３を受信しなくても、保持タイマ３５１の点灯継続時間Ｇの計時が終了したときは、照明負荷４をオフにする。このことにより、人体検知終了情報Ｆ３の送信エラーが生じても、点灯継続時間Ｇの計時終了時に照明負荷４をオフにすることができる。また、点灯継続情報Ｆ２の送信エラーが生じても照明負荷４のオン状態を点灯継続時間Ｇの間、保持することができる。
【００２９】
上記は、一方の送信機２Ａが人体を検知したときの動作を説明したが、次に、送信機２Ａ、２Ｂが共に人体を検知したときの動作を説明する。送信機２Ａは、人体検知センサ２１が人体検知信号Ｃを発すると、上述したように、点灯開始情報Ｆ１を発信し、受信機３は照明負荷４をオンにする（時点ｔ５）。このとき、人体を検知していない送信機２Ｂは、周囲の照度が急に明るくなったので、送信機２Ａの人体検知により、又は、ユーザの受信機スイッチ部３１の操作により、照明負荷４がオンになったと判断する。その後に、送信機２Ｂの人体検知センサ２１が人体検知信号Ｃを発すると、点灯開始情報Ｆ１を送信すると共に、検知タイマ２４１と点灯タイマ２４２とによりタイマ時間Ｄ、Ｅの計時をスタートする（時点ｔ６）。点灯開始情報Ｆ１は、検知信号Ｃと、点灯継続時間Ｇと、明信号とを含んでいる。送信機２Ｂから点灯開始情報Ｆ１を受信した受信機制御回路部３５は、照明負荷４のオンを継続し、保持タイマ３５１による点灯継続時間Ｇの計時を再スタートする。
【００３０】
送信機２Ｂから点灯継続情報Ｆ２が送信されている間に、送信機２Ａの検知タイマ２４１のタイマ時間Ｄの計時が終了すると、送信機２Ａは人体検知終了情報Ｆ３を送信する（時点ｔ７）。人体検知終了情報Ｆ３を受信した受信機制御回路部３５は、受信した点灯開始情報Ｆ１と人体検知終了情報Ｆ３の数をカウントしており、人体検知終了情報Ｆ３の数が点灯開始情報Ｆ１の数より少ないので、照明負荷４のオンを継続する。そして、送信機２Ａは、人体検知終了情報Ｆ３を送信しても、照度が暗くならないので、送信機２Ｂによって、照明負荷４のオンが継続されていると判断し、その後に、人を検知すると、点灯開始情報Ｆ１を送信すると共に、検知タイマ２４１と点灯タイマ２４２とによりタイマ時間Ｄ、Ｅの計時をスタートする（時点ｔ８）。送信機２Ａから点灯開始情報Ｆ１を受信した受信機制御回路部３５は、照明負荷４のオンを継続し、保持タイマ３５１による点灯継続時間Ｇの計時を再スタートする。送信機２Ａと送信機２Ｂから人体検知終了情報Ｆ３が送信されると、受信機制御回路部３５は、点灯開始情報Ｆ１と人体検知終了情報Ｆ３の数が等しくなるので、照明負荷４をオフにする（時点ｔ９）。送信機２と受信機３の動作を上述のようにすることにより、複数の送信機２からのワイヤレス信号により、照明負荷４のオンを継続することができる。また、点灯継続情報Ｆ２の送信にエラーが生じても、他の送信機２による点灯継続時間Ｇの間は、照明負荷４のオンを継続することができる。
【００３１】
次に、ユーザが受信機スイッチ部３１によって照明負荷４をオフにしたときの送信機２と受信機３の動作を、図６を参照して説明する。送信機２Ａの点灯開始情報Ｆ１により照明負荷４がオンのときに、ユーザが受信機スイッチ部３１により照明負荷４のオフ信号Ｈを発すると、受信機制御回路部３５は保持タイマ３５１による点灯継続時間Ｇの計時をリセットし、所定のマスク時間Ｉを計時する（時点ｔ１１）。受信機制御回路部３５は、このマスク時間Ｉの計時中は、送信機２からの点灯開始情報Ｆ１を受け付けない。このことにより、ユーザが照明負荷４をオフにした直後に、送信機２からの点灯開始情報Ｆ１により、再度照明負荷４がオンになることを防ぐことができる。
【００３２】
送信機２Ａは、点灯開始情報Ｆ１や点灯継続情報Ｆ２を送信し、検知タイマ２４１によりタイマ時間Ｄを計時しているときに照度が急に暗くなると、ユーザによって照明負荷４がオフにされたと判断し、検知タイマ２４１と点灯タイマ２４２によるタイマ時間Ｄ、Ｅの計時をリセットする。リセットすることにより、その時に計時していたタイマ時間Ｄ、Ｅの終了を待つことなく、マスク時間Ｉの経過後であれば、人体を検知すると迅速に点灯開始情報Ｆ１を送信し、照明負荷４をオンにすることができる（時点ｔ１２）。照明負荷４が送信機２Ａと送信機２Ｂとからの信号によって、オンになっているときも、ユーザが受信機スイッチ部３１により照明負荷４をオフにすると、送信機２と受信機３とは同様の動作を行なう。
【００３３】
次に、外光により送信機２の周囲の照度が明るいときの送信機２と受信機３の動作を、図７を参照して説明する。送信機２Ａは、人体検知センサ２１が人体検知信号Ｃを発し、照度センサ２２によって検知した照度が所定の閾値以上であれば、検知開始情報Ｆ４として、検知信号Ｃと、明信号を送信すると共に、検知タイマ２４１と点灯タイマ２４２とにより所定のタイマ時間Ｄ、Ｅの計時をスタートする（時点ｔ２１）。受信した受信機制御回路部３５は、検知開始情報Ｆ４であるので照明負荷４をオンにしない。送信機２Ａは、更に人体検知センサ２１が人体検知信号Ｃを発すると、検知タイマ２４１によるタイマ時間Ｄの計時を再スタートする（時点ｔ２２）。送信機２Ａは、点灯タイマ２４２がタイマ時間Ｅの所定の割合まで計時すると、そのときに検知タイマ２４１がタイマ時間Ｄを計時していれば、点灯タイマ２４２によるタイマ時間Ｅの計時を再スタートするが、点灯継続情報Ｆ２は送信しない（時点ｔ２３）。
【００３４】
送信機２Ａは検知タイマ２４１のタイマ時間Ｄの計時が終了すると、人体検知終了情報Ｆ３を送信し、点灯タイマ２４２をリセットする（時点ｔ２４）。送信機２Ａと送信機２Ｂが人体を検知したときも同様の動作を行なう。
【００３５】
上述したように照明制御システム１においては、既設の照明器具のスイッチ部を受信機３と取り替えるだけで、人体と照度を検知して照明負荷４をオン・オフする機能を容易に追加することができる。
【００３６】
（第２の実施形態）
本発明の第２の実施形態に係る照明制御システムについて図８を参照して説明する。本実施形態に係る照明制御システム１は、第１の実施形態と異なり、点灯タイマ２４２を有さない。送信機２Ａは、人体検知センサ２１が人体検知信号Ｃを発し、照度センサ２２によって検知した照度が所定の閾値以下であれば、点灯開始情報Ｆ１として、人体検知信号Ｃと、暗信号を送信すると共に、検知タイマ２４１により所定のタイマ時間Ｄの計時をスタートする（時点ｔ３１）。受信した受信機制御回路部３５は、照明負荷４をオンにし、受信した点灯継続時間Ｇの計時を保持タイマ３５１によりスタートする。
【００３７】
送信機２Ａは、更に人体検知センサ２１が人体検知信号Ｃを発すると、検知タイマ２４１によるタイマ時間Ｄの計時を再スタートする（時点ｔ３２）。
【００３８】
送信機２Ａは、検知タイマ２４１のタイマ時間Ｄの計時が終了すると、人体検知終了情報Ｆ３として終了信号と、人体を検知したときの照度データ信号とを送信し、人体検知終了情報Ｆ３を受信した受信機制御回路部３５は、照明負荷４をオフにすると共に保持タイマ３５１をリセットする（時点ｔ３３）。
【００３９】
受信機制御回路部３５は、人体検知終了情報Ｆ３を受信しなくても、保持タイマ３５１の点灯継続時間Ｇの計時が終了したときは、照明負荷４をオフにする。人体検知終了情報Ｆ３の送受信にエラーが生じても、照明負荷４を長時間オンの状態に放置することがない。
【００４０】
送信機２Ａ、２Ｂが共に人体を検知したときの動作を説明する。送信機２Ａは、人体検知センサ２１が人体検知信号Ｃを発すると、上述したように、点灯開始情報Ｆ１を発信し、受信機３は照明負荷４をオンにする（時点ｔ３４）。その後に、送信機２Ｂの人体検知センサ２１が人体検知信号Ｃを発すると、点灯開始情報Ｆ１を送信すると共に、検知タイマ２４１によりタイマ時間Ｄの計時をスタートする（時点ｔ３５）。この点灯開始情報Ｆ１の照度データ信号は、明信号である。送信機２Ｂから点灯開始情報Ｆ１を受信した受信機制御回路部３５は、照明負荷４のオンを継続し、点灯継続時間Ｇの計時を再スタートする。
【００４１】
送信機２Ｂから点灯開始情報Ｆ１が送信されている間に、送信機２Ａの検知タイマ２４１のタイマ時間Ｄの計時が終了すると、送信機２Ａは人体検知終了情報Ｆ３を送信する（時点ｔ３６）。人体検知終了情報Ｆ３を受信した受信機制御回路部３５は、受信した点灯開始情報Ｆ１と人体検知終了情報Ｆ３の数をカウントしており、人体検知終了情報Ｆ３の数が点灯開始情報Ｆ１の数より少ないので、照明負荷４のオンを継続する。その後に、送信機２Ａは、人体検知センサ２１が人体検知信号Ｃを発すると、点灯開始情報Ｆ１を送信する（時点ｔ３７）。送信機２Ａと送信機２Ｂから人体検知終了情報Ｆ３が送信されると、受信機制御回路部３５は、点灯開始情報Ｆ１と人体検知終了情報Ｆ３の数が等しくなるので、照明負荷４をオフにする（時点ｔ３８）。ワイヤレス信号の送信が、人体検知時と、人体検知の終了時だけであるので、送信機２の消費電力を少なくすることができる。また、受信機制御回路部３５は、受信した人体検知終了情報Ｆ３の中に、人体を検知したときの照度データ信号が暗信号であるのものが含まれていることを、照明負荷４をオフにする条件として追加してもよい。人体を最初に検知した送信機２が人体検知を終了したことを確認することにより、人の存否に応じた照明負荷４のオフを確実に行なうことができる。
【００４２】
なお、本発明は、上記各種実施形態の構成に限られず、発明の趣旨を変更しない範囲で種々の変形が可能である。例えば、送信機２毎に識別番号を付与し、送信機２から受信機３へのワイヤレス信号に識別番号のデータを追加することにより、点灯開始情報Ｆ１を送信した全ての送信機２から人体検知終了情報Ｆ３を受信したときに、照明負荷４をオフにしてもよい。人体の存否に応じた照明負荷４のオフを確実に行なうことができる。ワイヤレス信号の媒体は、赤外線に限らずに電波などの他の媒体を用いてもよい。また、電源回路部３７は、電源５から駆動電流を受けずに、商用電源から受電してもよいし、バッテリを使用してもよい。また、点灯開始情報Ｆ照明制御システム１、点灯継続情報Ｆ２の内の構成は上記各種実施形態における構成に限らない。
【図面の簡単な説明】
【００４３】
【図１】本発明の第１の実施形態に係る照明制御システムの構成図。
【図２】同照明制御システムの設置状況の外観図。
【図３】同照明制御システムの送信機の構成図。
【図４】同照明制御システムの受信機の構成図。
【図５】同照明制御システムの人体検知時の動作を示す図。
【図６】同照明制御システムのユーザ操作時の動作を示す図。
【図７】同照明制御システムの明るい時の動作を示す図。
【図８】本発明の第２の実施形態に係る照明制御システムの動作を示す図。
【符号の説明】
【００４４】
１  照明制御システム
２、２Ａ、２Ｂ  送信機
３  受信機
４  照明負荷
２１  人体検知センサ（人体検知手段）
２２  照度センサ（照度検知手段）
２４  送信機制御回路部（送信機制御手段）
２６  ワイヤレス信号送信部（送信手段）
３１  受信機スイッチ部（操作スイッチ）
３４  負荷制御部（開閉手段）
３５  受信機制御回路部（負荷制御手段）
【図１】
2008177093.tif 000003
【図２】
2008177093.tif 000004
【図３】
2008177093.tif 000005
【図４】
2008177093.tif 000006
【図５】
2008177093.tif 000007
【図６】
2008177093.tif 000008
【図７】
2008177093.tif 000009
【図８】
2008177093.tif 000010